(57)【要約】【課題】電気ノイズによる磁気センサの出力の乱れを防止することと、過電圧による磁気センサの故障や劣化を防止することである。【解決手段】磁気センサとしてのホールＩＣ１０が接続されたプリント基板１１の電気回路に、ホールＩＣ１０の電源端子とアース端子との間で、コンデンサＣ１と抵抗器Ｒ１を直列に組み込むとともに、これらと並列にコンデンサＣ２を組み込み、ホールＩＣ１０のアース端子と出力端子との間でコンデンサＣ３を組み込むとともに、出力端子の信号出力線側に抵抗器Ｒ２を組み込むことにより、電気ノイズによるホールＩＣ１０の出力の乱れや、過電圧によるホールＩＣ１０の故障や劣化を防止できるようにした。【選択図】図３
2007240486.tif 000002
【特許請求の範囲】
【請求項１】
内外輪の軌道輪のうちの回転軌道輪側に磁気エンコーダを装着して、この磁気エンコーダの回転に伴う磁束の変化を検出する磁気センサを固定軌道輪側に装着し、この磁気センサに接続した電気回路を介して、前記回転軌道輪の回転を検出する回転センサ付き転がり軸受において、前記電気回路に、前記磁気センサを電気ノイズまたは過電圧から保護する電気部品を組み込んだことを特徴とする回転センサ付き転がり軸受。
【請求項２】
前記電気部品を、前記磁気センサの電源端子とアース端子との間に直列に組み込まれるコンデンサと抵抗器とした請求項１に記載の回転センサ付き転がり軸受。
【請求項３】
前記電気部品を、前記磁気センサの電源端子とアース端子との間に組み込まれるコンデンサとした請求項１に記載の回転センサ付き転がり軸受。
【請求項４】
前記電気部品を、前記磁気センサの出力端子とアース端子との間に組み込まれるコンデンサと、前記出力端子からの信号出力線に組み込まれる抵抗器とした請求項１に記載の回転センサ付き転がり軸受。
【請求項５】
前記コンデンサを周波数特性の良い積層セラミックコンデンサとした請求項２乃至４のいずれかに記載の回転センサ付き転がり軸受。
【請求項６】
前記電気部品をチップ状のものとし、前記電気回路をプリント基板に形成して、このプリント基板に前記チップ状の電気部品をリフローによって半田付けした請求項１乃至５のいずれかに記載の回転センサ付き転がり軸受。
【請求項７】
前記電気部品と前記電気回路を形成する部品が、鉛、水銀、カドミウム、六価クロム、ポリ臭化ビフェニールおよびポリ臭化ジフェニルエーテルを含まないものである請求項１乃至６のいずれかに記載の回転センサ付き転がり軸受。
【発明の詳細な説明】
【技術分野】
【０００１】
本発明は、回転センサ付き転がり軸受に関する。
【背景技術】
【０００２】
回転センサ付き転がり軸受には、内外輪の軌道輪のうちの回転軌道輪側に、着磁された環状の磁気エンコーダを装着して、この磁気エンコーダの回転に伴う磁束の変化を検出する磁気センサを固定軌道輪側に装着し、この磁気センサに接続した電気回路を介して、回転軌道輪の回転を検出するようにしたものがある。通常、磁気センサは固定軌道輪に装着されるセンサハウジングに収納され、センサハウジングには電気回路が形成された電気回路基板も収納されることが多い（例えば、特許文献１参照）。
【０００３】
【特許文献１】特開２００２−２９５４６５号公報
【発明の開示】
【発明が解決しようとする課題】
【０００４】
特許文献１に記載されたような従来の回転センサ付き転がり軸受では、磁気センサが接続される電気回路の電源線や信号出力線に電気ノイズがのる恐れがあり、磁気センサの出力が乱れて、回転軌道輪の回転を正確に検出できなくなる問題がある。
【０００５】
また、回転センサ付き転がり軸受を適用機器に組み込む際等に、素手が電源線や信号出力線のコネクタに触れて静電気が発生し、この静電気がサージ電圧となって磁気センサの電源端子や信号出力端子に過電圧が印加される恐れもある。さらには、雷サージ（直撃雷サージ、誘導雷サージ）、電気回路系統の過渡現象による開閉サージ、電源機器の故障等による過電圧が磁気センサの電源端子に印加される恐れもある。このように、磁気センサの電源端子に過電圧が印加されると、磁気センサの故障や劣化の原因となる問題がある。
【０００６】
そこで、本発明の課題は、電気ノイズによる磁気センサの出力の乱れを防止することと、過電圧による磁気センサの故障や劣化を防止することである。
【課題を解決するための手段】
【０００７】
上記の課題を解決するために、本発明は、内外輪の軌道輪のうちの回転軌道輪側に磁気エンコーダを装着して、この磁気エンコーダの回転に伴う磁束の変化を検出する磁気センサを固定軌道輪側に装着し、この磁気センサに接続した電気回路を介して、前記回転軌道輪の回転を検出する回転センサ付き転がり軸受において、前記電気回路に、前記磁気センサを電気ノイズまたは過電圧から保護する電気部品を組み込んだ構成を採用した。
【０００８】
すなわち、磁気センサが接続される電気回路に、磁気センサを電気ノイズまたは過電圧から保護する電気部品を組み込むことにより、電気ノイズによる磁気センサの出力の乱れや、過電圧による磁気センサの故障や劣化を防止できるようにした。
【０００９】
前記電気部品を、前記磁気センサの電源端子とアース端子との間に直列に組み込まれるコンデンサと抵抗器とすることにより、磁気センサの電源端子に印加される過電圧を吸収することができる。この直列に組み込まれるコンデンサと抵抗器は、これらの機能と同等な機能を有するものである、１つにパッケージ化したバリスタ型サージアブソーバとしてもよい。
【００１０】
前記電気部品を、前記磁気センサの電源端子とアース端子との間に組み込まれるコンデンサとすることにより、磁気センサが接続される電気回路の電源線にのる電気ノイズを吸収することができる。このコンデンサは磁気センサに極力近づけて実装するのが望ましい。
【００１１】
前記電気部品を、前記磁気センサの出力端子とアース端子との間に組み込まれるコンデンサと、前記出力端子からの信号出力線に組み込まれる抵抗器とすることにより、磁気センサが接続される電気回路の信号出力線にのる電気ノイズを吸収することができる。
【００１２】
前記コンデンサを周波数特性の良い積層セラミックコンデンサとすることにより、電気ノイズの吸収効率を高めることができる。この積層セラミックコンデンサの周波数特性としては、例えば、１ＫＨｚ以上でインピーダンスが小さいものを選ぶとよい。
【００１３】
前記電気部品をチップ状のものとし、前記電気回路をプリント基板に形成して、このプリント基板に前記チップ状の電気部品をリフローによって半田付けすることにより、半田付け工数と電気回路の実装スペースを削減することができる。
【００１４】
前記電気部品と前記電気回路を形成する部品とを、鉛、水銀、カドミウム、六価クロム、ポリ臭化ビフェニールおよびポリ臭化ジフェニルエーテルを含まないものとすることにより、電気・電子機器に対する特定有害物質の使用制限に関するＥＵのＲｏＨＳ指令を満足するものとすることができる。
【発明の効果】
【００１５】
本発明の回転センサ付き転がり軸受は、磁気センサが接続される電気回路に、磁気センサを電気ノイズまたは過電圧から保護する電気部品を組み込んだので、電気ノイズによる磁気センサの出力の乱れや、過電圧による磁気センサの故障や劣化を防止することができる。
【００１６】
前記電気部品を、磁気センサの電源端子とアース端子との間に直列に組み込まれるコンデンサと抵抗器とすることにより、磁気センサの電源端子に印加される過電圧を吸収することができる。
【００１７】
前記電気部品を、磁気センサの電源端子とアース端子との間に組み込まれるコンデンサとすることにより、磁気センサが接続される電気回路の電源線にのる電気ノイズを吸収することができる。
【００１８】
前記電気部品を、磁気センサの出力端子とアース端子との間に組み込まれるコンデンサと、出力端子の信号出力線側に組み込まれる抵抗器とすることにより、磁気センサが接続される電気回路の信号出力線にのる電気ノイズを吸収することができる。
【００１９】
前記コンデンサを周波数特性の良い積層セラミックコンデンサとすることにより、電気ノイズの吸収効率を高めることができる。
【００２０】
前記電気部品をチップ状のものとし、電気回路をプリント基板に形成して、このプリント基板にチップ状の電気部品をリフローによって半田付けすることにより、半田付け工数と電気回路の実装スペースを削減することができる。
【００２１】
前記電気部品と電気回路を形成する部品とを、鉛、水銀、カドミウム、六価クロム、ポリ臭化ビフェニールおよびポリ臭化ジフェニルエーテルを含まないものとすることにより、ＲｏＨＳ指令を満足するものとすることができる。
【発明を実施するための最良の形態】
【００２２】
以下、図面に基づき、本発明の実施形態を説明する。この回転センサ付き転がり軸受は、図１に示すように、回転軌道輪としての内輪１と固定軌道輪としての外輪２との間に、ボール３が保持器４で保持された深溝玉軸受であり、軸受空間の一端側がシール５でシールされ、シール５でシールされた側と反対側で、内輪１の外径面に嵌合された芯金６に、着磁された磁気エンコーダ７が装着され、外輪２の内径面に嵌合された外環８に装着されたセンサハウジング９に、磁気エンコーダ７の回転に伴う磁束の変化を検出する磁気センサとしてのホールＩＣ１０と、後述する電気回路が形成されたプリント基板１１とが収納されている。
【００２３】
図２に示すように、前記センサハウジング９には、磁気エンコーダ７と対向するホールＩＣ１０と、その脚１０ａに接続されたプリント基板１１とが、モールド樹脂９ａで固定されている。プリント基板１１には、後述するチップ状とされた積層セラミックコンデンサＣ１、Ｃ２、Ｃ３と抵抗器Ｒ１、Ｒ２の電気部品１２がリフローによって半田付けされている。なお、これらのプリント基板１１と電気部品１２は、鉛、水銀、カドミウム、六価クロム、ポリ臭化ビフェニールおよびポリ臭化ジフェニルエーテルを含まないものである。
【００２４】
図３に示すように、前記プリント基板１１には、それぞれホールＩＣ１０の電源端子、アース端子および出力端子を、電源線、アース線および信号出力線に接続する電気回路が形成されている。この電気回路には、ホールＩＣ１０の電源端子とアース端子との間で、コンデンサＣ１と抵抗器Ｒ１が直列に組み込まれるとともに、ホールＩＣ１０の近傍でこれらと並列にコンデンサＣ２が組み込まれ、ホールＩＣ１０のアース端子と出力端子との間でコンデンサＣ３が組み込まれるとともに、出力端子の信号出力線側に抵抗器Ｒ２が組み込まれている。
【００２５】
上述した実施形態では、磁気センサをホールＩＣとし、センサハウジングに電気回路が形成されたプリント基板も収納したが、磁気センサはホール素子やＭＲ素子等の他のタイプのものとすることもでき、プリント基板はセンサハウジングの外部に配設することもできる。
【００２６】
また、上述した実施形態では、転がり軸受を内輪が回転軌道輪とされた深溝玉軸受としたが、本発明に係る回転センサ付き転がり軸受は、ころ軸受等の他のタイプの転がり軸受にも適用することができる。また、外輪が回転軌道輪とされた転がり軸受にも適用でき、この場合は、回転センサの磁気エンコーダを外輪側に、磁気センサを収納したセンサハウジングを内輪側に装着すればよい。
【図面の簡単な説明】
【００２７】
【図１】回転センサ付き転がり軸受の実施形態を示す縦断面図
【図２】図１の要部を拡大して示す断面図
【図３】図２のホールＩＣに接続されたプリント基板の電気回路を示す電気回路図
【符号の説明】
【００２８】
１  内輪
２  外輪
３  ボール
４  保持器
５  シール
６  芯金
７  磁気エンコーダ
８  外環
９  センサハウジング
９ａ  モールド樹脂
１０  ホールＩＣ
１０ａ  脚
１１  プリント基板
１２  電気部品
【図１】
2007240486.tif 000003
【図２】
2007240486.tif 000004
【図３】
2007240486.tif 000005